(57)【要約】【課題】排気口からの光漏れの削減、排気効率の向上、操作者の操作性向上が行える投射型表示機器を得る。【解決手段】投射型光学系と、画像入力を変換前記光学系に入力する制御部と、前記光学系と前記制御部を保持する筐体と、前記光学系からの廃熱を前記筐体下部に行う排気手段と、前記筐体を支持し、前記排気手段からの排気経路に位置し傾斜部を持つ脚部とで構成される投射型表示機器において、前記光学系からの排気を前記脚部の傾斜部を用いて側面に排気するように構成する。【選択図】図１
2005084079.tif 000002
【特許請求の範囲】
【請求項１】
筐体の下面部に排気口を配置し、前記排気口からの排気を略水平方向に方向変換する排気方向変換ガイドを有することを特徴とする投射型表示機器。
【請求項２】
前記排気方向変換ガイドが、筐体を支持する脚部を兼ねることを特徴とする請求項１記載の投射型表示機器。
【請求項３】
前記排気方向変換ガイドが、略投射方向に排気を方向変換することを特徴とする請求項１記載の投射型表示機器。
【請求項４】
前記排気方向変換ガイドが、折れ部を有することを特徴とする請求項１記載の投射型表示機器。
【発明の詳細な説明】
【技術分野】
【０００１】
本発明は、音声、画像、データを利用する、事務所、家庭、店舗等での投射型表示機器に関し、特に、その排気部分の構成に関する。
【背景技術】
【０００２】
従来の投射型表示機器の一例として、図４に記載されたものがある。
【０００３】
図４は従来の投射型表示機器の構成を示しており、投射型表示機器はレンズ１０、上キャビ１１、回路基板１２、下キャビ１３、排気口１４、ファン１５、脚１６で構成されている。
【０００４】
投射型表示機器はビデオ、パーソナルコンピューターからの信号を、回路基板１２で変換し、投影光学系（図示せず）で作り出した映像をレンズ１０を介して投射型表示機器の前面に配置したスクリーン、壁等の投影面に映像を投影して、ユーザーが鑑賞、プレゼンテーションを行う。このとき、回路基板１２、投影型光学系からの放熱での、機内温度上昇を抑えるために、ファン１５から、排気口１４を通して排気１７を行っている。
【０００５】
しかしながら、実際に、ファン１５を取付けるため、側面に取付けたときは排気口からの光漏れが発生したり、操作者に排気の暖かい空気が当り不快感を起こさせるという問題が発生する場合があった。
【０００６】
なお、投射型表示機器の通風孔に関する技術も提案されている（例えば、特許文献１参照）。
【特許文献１】特開平１１−３１６４１８号公報
【発明の開示】
【発明が解決しようとする課題】
【０００７】
この投射型表示機器の排気手段においては、排気口からの光漏れの削減、排気効率の向上、操作者の操作性向上が要求されている。
【０００８】
しかしながら、従来の投射型表示機器ではファンを投射型表示機器の筐体側面周囲に設けるため排気口からの光漏れの削減、排気効率の向上、操作者の操作性向上の全てを満たすことが困難であった。
【０００９】
本発明は、排気口からの光漏れの削減、排気効率の向上、操作者の操作性向上が行える投射型表示機器を得ることを目的とする。
【課題を解決するための手段】
【００１０】
この課題を解決するために本発明は、投射型光学系と、画像入力を変換前記光学系に入力する制御部と、前記光学系と前記制御部を保持する筐体と、前記光学系からの廃熱を前記筐体下部に行う排気手段と、前記筐体を支持し、前記排気手段からの排気経路に位置し傾斜部を持つ脚部とで構成される投射型表示機器において、前記光学系からの排気を前記脚部の傾斜部を用いて側面に排気するように構成したものである。また、脚部を軸支持の２体構造としたが、傾斜部を持つ脚ならスライド方式で構成することも、別体で構成することも可能であり、排気傾斜部を投射型表示機器筐体の一部で構成することも可能である。
【００１１】
これにより、排気口からの光漏れの削減、排気効率の向上、操作者の操作性向上が行える投射型表示機器が得られる。
【発明の効果】
【００１２】
以上のように本発明によれば、光学系からの排気を前記脚部の傾斜部を用いて側面に排気するように構成したため、排気口からの光漏れの削減、排気効率の向上、操作者の操作性向上が行えるという有利な効果が得られる。
【発明を実施するための最良の形態】
【００１３】
以下、本発明を実施するための最良の形態について詳細に説明する。
【００１４】
（実施の形態１）
図１に本発明の実施の形態１における投射型表示機器の構成を示しており、投射型光学系（図示せず）、投射型光学系の映像を投影するレンズ１０１、上キャビ１０２、回路基板１０３、下キャビ１０４、ファン１０５、排気口１０６、脚部１０７で構成されている。
【００１５】
投射型表示機器はビデオ、パーソナルコンピューターからの信号を、回路基板１０３で変換し、投影光学系（図示せず）で作り出した映像をレンズ１０１を介して投射型表示機器の前面に配置したスクリーン、壁等の投影面に映像を投影して、ユーザーが鑑賞、プレゼンテーションを行う。このとき、回路基板１０３、投影型光学系からの放熱での、機内温度上昇を抑えるために、ファン１０５から、排気口１０６を通して脚部１０７の傾斜部１０８で排気方向を変換して排気を行っている。
【００１６】
ここで、筐体の下面部に排気口を配置し、前記排気口から光学系の排気を略水平方向に方向変換する排気方向変換ガイドとして前記脚部の傾斜部を用いて側面に排気するように構成したため、排気口からの光漏れの削減、排気効率の向上、操作者の操作性向上が行える。
【００１７】
図２に本発明の排気手段の後面図を示しており、下キャビ１０４、ファン１０５、排気口１０６、脚部の傾斜部１０８、排気方向１０９を示している。
【００１８】
ここでわかるように、ファンからの排気方向を脚部で水平方向に変えているため排気口からの光漏れの削減、排気効率の向上、操作者の操作性向上が行える。
【００１９】
なお、本実施の形態では脚部が排気方向変換ガイドを兼ねているが、脚部と排気方向変換ガイドを別体としても良い。これにより、投射方向と排気方向をそれぞれ最良に設定することが可能である。
【００２０】
なお、本実施の形態では、排気方向が側面となっているが、これを投射方向に排気しても良い。投射方向には通常ユーザが居ないので、更にユーザフレンドリーとなる。また、投射方向に排気する場合は、排気が投射光経路の下側にならないように排気方向を変換することが望ましい。これは、排気の熱等が投射光経路に入らないことを避けるためであり、投射画面の歪み等を防止することが出来る。具体的には図１において、排気口１０６は現状のままで脚部１０７の筐体側付け根をレンズ１０１と反対側の投射方向反対側に設置し、脚部の傾斜部１０８によって排気が前面に方向変換するようにする。このことにより、排気が投射光経路の下側にならないように排気方向を変換することが出来る。
【００２１】
なお、本実施の形態では、図１の脚部１０７に示されている通り、排気方向変換ガイドを兼ねた脚部に折れ部があり、筐体の傾きや排気方向を変更することができる。
【００２２】
（実施の形態２）
図３に本発明の排気手段の構成２を示しており、構成１と同様に光学系、レンズ、上下キャビ、回路基板、ファン１０５、排気口１０６、別体で構成される脚１１０とで構成される。
【００２３】
光学系からの排気を前記脚部の傾斜部を用いて側面に排気するように構成したため、排気口からの光漏れの削減、排気効率の向上、操作者の操作性向上が行える。
【００２４】
なお、以上の説明では、脚部を固定形状としたが、組み立てて傾斜部を形成する構造にしてもいいことは言うまでもない。
【産業上の利用可能性】
【００２５】
本発明は、光学系からの排気を前記脚部の傾斜部を用いて側面に排気するように構成したため、排気口からの光漏れの削減、排気効率の向上、操作者の操作性向上が行えるので、事務所、家庭、店舗等での投射型表示機器に有効である。
【図面の簡単な説明】
【００２６】
【図１】本発明の実施の形態１における投射型表示機器の構成を示す図
【図２】本発明の実施の形態１における投射型表示機器の構成の後面を示す図
【図３】本発明の実施の形態２における投射型表示機器の構成を示す図
【図４】従来の投射型表示機器の構成を示す図
【符号の説明】
【００２７】
１０  レンズ
１１  上キャビ
１２  回路基板
１３  下キャビ
１４  排気口
１５  ファン
１６  脚
１７  排気
１０１  レンズ
１０２  上キャビ
１０３  回路基板
１０４  下キャビ
１０５  ファン
１０６  排気口
１０７  脚部
１０８  脚部の傾斜部
１０９  排気方向
１１０  脚
【図１】
2005084079.tif 000003
【図２】
2005084079.tif 000004
【図３】
2005084079.tif 000005
【図４】
2005084079.tif 000006